(57)【要約】      （修正有）【課題】鎌の刃砥ぎに熟練していない初心者でも容易に刃砥ぎができる農作業現場に携帯可能な刃砥ぎ補助具を提供する。【解決手段】鎌の柄を保持する柄保持部３と、突起１１および１２を有し刃口を砥石で研磨しやすい角度に鎌の刃を傾斜させて保持する刃保持部２と、口金を所定位置に留めるストッパー４と、脚５，６，７とから構成する。そして、刃保持部２で鎌の刃部を保持し、柄保持部３で鎌の柄を保持し、ストッパー４で鎌の口金を係止し、脚５，６，７によって所定の高さおよび傾斜を持たせるようにした。【選択図】図１
2005125471.tif 000002
【特許請求の範囲】
【請求項１】
柄部と刃部と前記刃部を前記柄部に固定する口金部とからなる鎌本体を保持しながら前記鎌の刃部の刃口を砥石で研磨するようにした鎌刃砥ぎ補助具であって、
前記鎌の柄部を保持する柄保持部と、
前記鎌の刃部を載置して保持する刃保持部と、
前記柄保持部および前記刃保持部を所定の高さで支持する支持脚と、
から構成されることを特徴とする鎌刃砥ぎ補助具。
【請求項２】
前記鎌刃砥ぎ補助具は、更に、前記鎌の刃部が前記刃保持部の所望の位置に載置されるように前記口金部を所定位置に係止させる係止手段を有することを特徴とする請求項１に記載の鎌刃砥ぎ補助具。
【請求項３】
前記刃保持部は、端部に突起部を有していることを特徴とする請求項１または２に記載の鎌刃砥ぎ補助具。
【請求項４】
前記柄保持部には、前記柄を安定して保持するための凹溝が長手方向に設けられていることを特徴とする請求項１〜３のいずれか１項に記載の鎌刃砥ぎ補助具。
【発明の詳細な説明】
【技術分野】
【０００１】
本発明は、鎌の刃砥ぎに使用する器具に関し、さらに詳しくは、鎌の刃口を砥石を使って砥ぐ際の鎌を半固定する補助器具に関する。
【背景技術】
【０００２】
農作業等では、大量の穀物の刈入れなどで、長時間にわたり鎌を使う場合が多く、切れ味が落ちると作業効率が落ちるので、しばしば作業の途中に、作業現場で鎌の刃口を砥いでいる。刃口を研ぐのには専ら砥石が使われており、すべて手作業でなされる。砥石は作業現場へ携帯してゆくのに負担にならない程度の小さなものが使われる。刃口の研磨は、鎌を動かないように固定しておき、略刃先角と同じ傾きを持って刃口に砥石を押し当てた状態で、その砥石を前後動させて研磨をするという方法が取られている。
【発明の開示】
【発明が解決しようとする課題】
【０００３】
しかしながら、鎌の刃口は鋭角に作られており、鎌の切れ味を良くするためには、前述のように、刃先の鋭角に合わせて砥石で研磨してゆくのであるが、砥石の刃口に対する角度を一定に保ちながら砥石を前後動させることは、熟練者であっても難しい作業である。角度が適当ではないと、刃先を丸めてしまったり刃こぼれを生じさせたりと、むしろ切れ味を低下させる場合も生じる。
【０００４】
従って、本発明の目的は、農作業等で使用される鎌の刃砥ぎ作業に使用される補助具であって、特別な技能を身につけていない初心者であっても鎌の刃砥ぎを容易に行うことができる鎌刃砥ぎ補助具を提供することにある。
【課題を解決するための手段】
【０００５】
本発明は、上記目的を達成するため、柄部と刃部と前記刃部を前記柄部に固定する口金部とからなる鎌本体を保持しながら前記鎌の刃部の刃口を砥石で研磨するようにした鎌刃砥ぎ補助具であって、前記鎌の柄部を保持する柄保持部と、前記鎌の刃部を載置して保持する刃保持部と、前記柄保持部および前記刃保持部を所定の高さで支持する支持脚と、から構成されることを特徴とする鎌刃砥ぎ補助具を提供するものである。
【０００６】
以上の構成において、前記鎌刃砥ぎ補助具は、更に、前記鎌の刃部が前記刃保持部の所望の位置に載置されるように前記口金部を所定位置に係止させる係止手段を有することが望ましい。
【０００７】
また、前記刃保持部は、端部に突起部を有していることが望ましく、前記柄保持部には、前記柄を安定して保持するための凹溝が長手方向に設けられていることが望ましい。
【発明の効果】
【０００８】
以上のように、本発明の鎌刃砥ぎ補助具によれば、鎌の柄部を保持する柄保持部と、鎌の刃部を載置して保持する刃保持部と、柄保持部および刃保持部を所定の高さで支持する支持脚とから構成するようにしたので、砥石の刃口に対する角度を一定に保ちながら砥石を前後動させることができる。このため、農作業等で使用される鎌の刃砥ぎ作業においても、特別な技能を身につけていない初心者であっても鎌の刃砥ぎを容易に行うことができる。
【発明を実施するための最良の形態】
【０００９】
以下、添付図面を参照しながら、本発明の実施の形態を詳細に説明する。
【００１０】
図１〜図３は、本発明の実施の形態に係る鎌刃砥ぎ補助具の外観を示す図であり、図１は正面側から見た斜視図、図２は背面側から見た斜視図、図３は側面図である。これら図１〜図３に示すように、鎌刃砥ぎ補助具１は、刃保持部２と、柄保持部３と、ストッパー４と、脚５，６，７と、で構成されている。
【００１１】
刃保持部２は、鎌刃砥ぎ作業において後述する鎌の刃部２１を保持するものであって、上部には突起１１，１２とストッパー４が形成され、下部には脚５および脚６が形成されている。これらは１枚の鋼板から形成されている。このうち、突起１１および１２は、鎌刃砥ぎ補助具１に鎌を載置したとき、鎌の刃部２１を峰方向に傾斜をつけて保持するためのものである。ストッパー４は、刃保持部２の長さ方向略中央部に凸状に形成されており、略直角に折り曲げられている。このストッパー４は、鎌の刃部２１が刃保持部２の所望の位置にくるように、後述する口金２３を所定位置に留めるためのものである。
【００１２】
柄保持部３は、後述する鎌の柄２２を載置して保持するためのものであり、そのための案内溝１３を有している。案内溝１３の幅，深さあるいは曲率は鎌の柄２２の断面に略あわせたサイズであって、鎌の柄２２を嵌め込んで保持するのに適切なサイズとなっている。この柄保持部３は、ストッパー４と重なる部分において、ストッパー４と溶接等により接合されている。
【００１３】
なお、図３に示すように、柄保持部３の一端であって、刃保持部２が接合されている側と反対の側には、脚７が設けられている。この脚７は、柄保持部３を所望の角度に傾斜させて保持させるためのものである。
【００１４】
図４は、このように構成される鎌刃砥ぎ補助具１に鎌を載置した状態を示す図である。図に示すように、鎌の柄２２は案内溝１３に嵌まり込んで保持される。このとき、鎌の口金２３をストッパー４に当接させ、ストッパー４で鎌の口金２３を係止させるようにする。これにより、鎌の刃口の研磨時、刃部に加わる力により鎌の柄２２がずれないようにしている。
【００１５】
以下、図４および図５を参照しながら、本発明の鎌刃砥ぎ補助具１で鎌の刃口を研磨する際の使用方法を説明する。
【００１６】
まず、図４に示すように、鎌刃砥ぎ補助具１に鎌を載置する。このとき鎌の柄２２は案内溝１３で一定の引っかかりが得られていれば鎌の柄２２のずれは防止できるので、案内溝１３の形状およびサイズと鎌の柄２２の形状およびサイズとが、完全に一致していなくてもよい。そして、図５に示すように、柄保持部３を鎌の柄２２に合わせて片手で握る。この際、口金２３をストッパー４に押し付け係止させるようにし、鎌の柄２２を案内溝１３にそわせた状態で柄保持部３と鎌の柄２２を合わせて握る。これにより、鎌の刃部２１は鎌刃砥ぎ補助具１に固定された状態で保持される。この状態で、砥石８をもう一方の手に持って鎌の刃部２１の刃口を研磨する。
【００１７】
鎌の峰２４はゆるやかにカーブしているので、峰２４を直接平らな地面に押し付けた場合、峰２４の一部しか地面に接しない。しかもカーブしているので、峰２４が僅かでも傾くと地面に接する位置が変わってしまう。鎌の柄２２を片手で持ち、峰２４を地面に押し付けて鎌の刃部２１を動かないように固定した状態で、もう一方の手に砥石８を持って刃口を研磨しようとしても、砥石を刃口に押し付けて前後に動かし始めたとたんに力のバランスを崩してしまい、鎌の刃部２１の固定ができなくなってしまう。本発明の鎌刃砥ぎ補助具１によれば、鎌の峰２４は直接地面に接せず、その代わり、直線状になっている刃保持部２の脚５，６および柄保持部３下部の脚７が地面に接し、安定した多点支点を提供する。従って力のバランスが多少崩れても支点位置がずれることがなく、鎌の刃部２１は安定固定される。また、刃保持部２は鎌の刃部２１を横向きに傾斜保持する機構を有しており、その傾斜角度は一定に保たれるので、同様に安定固定状態を提供する。
【００１８】
また、鎌の柄２２は柄保持部３の案内溝１３の窪みにはめ込まれて保持される。鎌の柄２２と柄保持部２はあわせて片手で把持するようにしているので、簡単に保持することができる。また、研磨時、刃口面は上に向けた状態で研磨される。従って刃口の研磨状態は常に目で確かめながら作業が行えるので、研磨異常が発生した場合、迅速に対応することができる。
【００１９】
このように、刃保持部２で鎌の刃部２１を保持し、柄保持部３で鎌の柄２２を保持し、ストッパー４で鎌の口金２３を係止し、脚５，６，７によって所定の高さおよび傾斜を持たせるようにしたので、鎌の刃部２１を安定して固定することができる。しかも、地面と鎌の刃口との距離をある程度確保でき、砥石８を前後動させても砥石８の先端が地面に当たることがなく、砥石８の前後方向の運動範囲が制限されることがない。従って、例えば、農作業の現場で鎌の刃砥ぎを行う場合など、刃砥ぎ作業に適した足場がない場合に特に効果を発揮することができる。
【００２０】
また、突起１１及び１２は、鎌の刃部２１を峰２４方向に、また、脚５、６及び７は鎌の刃部２１を鎌の柄２２方向に、それぞれ傾斜をつけて保持しているので、鎌の刃口の研磨作業を容易にすることができる。また、突起１１及び１２、脚５、６及び７の長さを変えることにより、使用者等の要望に応じて傾斜角は適時変更することもできる。突起１１および１２の長さはそれぞれ同じである必要はなく、突起自体を無くして平らにしてもよい。また、鎌には、片刃のものもあれば両刃のものもあり、右利き用の鎌もあれば、左利き用の鎌もあるが、刃保持部２は、刃部を左右いずれの横方向へも傾斜させて保持できるように構成してあるので、いずれの鎌にも対応できる。
【００２１】
なお、本実施の形態においては、鎌刃砥ぎ補助具１を構成する部品全ては鋼板より製作した。鋼板から刃保持部２を所望の形状に切り取る際、ストッパー４を形成する部分も該刃保持部につなげて切り取り、その部分を略垂直に曲げてストッパー４とし、柄保持部３は所望のサイズに鋼板を切り取り、鎌の柄２２の断面に略あわせて湾曲させ、ストッパー４に溶接接続し、脚７も鋼板から切り取り、柄保持部３に溶接接続したが、勿論、ストッパー４は刃保持部２と一体形成する必要はなく、独立した部品として切り出し、接合してもよい。また、素材としては鋼板である必要はなく、アルミニウム板や合成樹脂板であってもよい。また、全ての部品を一体形成してもよい。また、例えば、図６に示すように、突起部の先端をＬ若しくはＴ状の突起１１ｂおよび１２ｂに加工し、鎌の刃部をより安定に保持するようにしてもよい。同様に脚も、図６の５b、６b、及び７bとして示すごとくＬ状に加工し、本発明の鎌刃砥ぎ補助具１の地面等への固定の際の安定度を増し加えてもよい。なお、図６には以上の安定度を得るための加工を全ての部分に施した場合を示しているが、このうちの必要な部分にのみ加工を施すのでよいことは言うまでもない。
【産業上の利用可能性】
【００２２】
本発明の鎌刃砥ぎ補助具は、農作業等で使用される鎌の刃砥ぎ作業に使用される補助具であって、本補助具を使用すれば、特別な技能を身につけていない初心者であっても鎌の刃砥ぎができ、農作業等の効率が上がる。
【図面の簡単な説明】
【００２３】
【図１】本発明の鎌刃砥ぎ補助具を刃保持部方向から見た斜視図である。
【図２】本発明の鎌刃砥ぎ補助具を柄保持部方向から見た斜視図である。
【図３】本発明の鎌刃砥ぎ補助具の側面図である。
【図４】鎌刃砥ぎ補助具に鎌を設置した図である。
【図５】鎌刃砥ぎ補助具を使用して鎌の刃口を砥石で研磨している図である。
【図６】突起の先端がＬ状の鎌刃砥ぎ補助具の斜視図である。
【符号の説明】
【００２４】
１      本体
２      刃保持部
３      柄保持部
４      ストッパー
８      砥石
２１    鎌の刃部
２２    鎌の柄
２３    口金
２４    峰
【図１】
2005125471.tif 000003
【図２】
2005125471.tif 000004
【図３】
2005125471.tif 000005
【図４】
2005125471.tif 000006
【図５】
2005125471.tif 000007
【図６】
2005125471.tif 000008